(57)【特許請求の範囲】
【請求項１】
ケース内にポンプ室を形成する複数のダイヤフラムを備え、偏心回転軸により揺動される揺動体によって前記ダイヤフラムが上下動されてポンプ動作を行う小型ポンプに於て、前記ケースの上ケース中央部に吐出孔を開穿すると共に、該上ケース下面に前記複数のダイヤフラムの上端部を夫々挿入するための複数の環状凹溝を形成し、且つ、前記吐出孔の外周部と該複数の環状凹溝の外周部とが互いに接触し、これによって空気連通口が形成されていることを特徴とする小型ポンプ。
【発明の詳細な説明】
【０００１】
【発明の属する技術分野】
この発明は、小型ポンプに関するものであり、特に、血圧計等に用いられ、且つ、ダイヤフラムを使用する小型ポンプに関するものである。
【０００２】
【従来の技術】
従来の此種小型ポンプを図３及び図４に従って説明する。図３に於て１は血圧計等に用いられる小型ポンプを示し、該小型ポンプ１は平面視長方形のケース２内にポンプ室３，３を形成する２個のダイヤフラム４，４が設けられ、該ダイヤフラム４，４は互いに一体に連結されてダイヤフラム集合体５を形成している。
【０００３】
そして、該ダイヤフラム集合体５の中央部には略円筒状の排気弁部６が立設され、該排気弁部６は前記上ケース７中央部に開穿された吐出孔８内壁に圧挿されている。
又、該上ケース７には前記各ダイヤフラム４，４中心の上方に位置して夫々略逆傘型の吸気弁体９，９が取付けられている。該吸気弁体９，９は前記ポンプ室３，３側に傘部９ａ，９ａが形成され、前記上ケース７に開穿された小孔１０，１０を貫通し、該上ケース７の上面に該小孔１０，１０より大径の止着部９ｂ，９ｂが形成されており、これによって前記傘部９ａ，９ａは前記上ケース７下面に圧接されている。そして、前記小孔１０，１０の周縁部近傍には数個の吸気孔１１，１１…が開穿され、前記吸気弁体９，９の前記傘部９ａ，９ａが該吸気孔１１，１１…を密閉している。
【０００４】
更に、前記ダイヤフラム４，４の下端部に揺動体１２が揺動自在に連結され、該揺動体１２は回転する偏心軸１３によって揺動するように構成されている。即ち、該偏心軸１３の上端部は前記揺動体１２の下面中心部から下方に突設して設けられたボス部１４内の挿入穴１４ａに挿嵌され、下端部は回転体１５に偏心して設けられた偏心穴１５ａに遊嵌されており、該回転体１５はモータ（図示せず）の回転駆動軸１６の端部に固設されている。
【０００５】
図４は、前記上ケース７の底面図であり、該上ケース７の底面部には前記吐出孔８と前記ダイヤフラム４，４内のポンプ室３，３とを連通させるための空気排出溝１７，１７が形成されている。
而して、前記モータの回転駆動軸１６が回転し、これにより前記回転体１５が回転し、該回転体１５の前記偏心穴１５ａに遊嵌された前記偏心軸１３が回転すると前記揺動体１２が揺動し、前記ダイヤフラム４，４の下端部を上下動させる。そして、一方のダイヤフラム４の下端部が前記揺動体１２により下動された時、該ダイヤフラム４内は負圧になり、前記排気弁部６は前記吐出孔８を密閉し、一方、前記吸気弁体９の傘部９ａが開き前記吸気孔１１から吸気が行われる。
【０００６】
次に、前記ダイヤフラム４の下端部が上動された時、該ダイヤフラム４内は高圧になり、前記吸気弁体９の前記傘部９ａは前記吸気孔１１を密閉状態にすると共に前記排気弁部６と前記吐出孔８間が開放され、前記ポンプ室３の空気は前記空気排出溝１７を通って前記吐出孔８から外部に吐出される。
【０００７】
【発明が解決しようとする課題】
上記従来例の小型ポンプは、上ケースの底面部に、吐出孔とダイヤフラム内のポンプ室とを連通させるための空気排出溝が形成され、該ダイヤフラムの下端部が上動された時、該ポンプ室の空気が該空気排出溝を通って前記吐出孔から吐出されるように構成されている。
【０００８】
然しながら、前記小型ポンプは前記空気排出溝を形成するため、該空気排出溝を形成するための作成工数が増加し、コスト高になるという問題があった。
そこで、ダイヤフラムを使用する小型ポンプに於て、簡素な構成にして作成工数を低減し、コストダウンを図るために解決すべき技術的課題が生じてくるのであり、本発明はこの課題を解決することを目的とする。
【０００９】
【課題を解決するための手段】
本発明は上記目的を達成するために提案されたものであり、ケース内にポンプ室を形成する複数のダイヤフラムを備え、偏心回転軸により揺動される揺動体によって前記ダイヤフラムが上下動されてポンプ動作を行う小型ポンプに於て、前記ケースの上ケース中央部に吐出孔を開穿すると共に、該上ケース下面に前記複数のダイヤフラムの上端部を夫々挿入するための複数の環状凹溝を形成し、且つ、前記吐出孔の外周部と該複数の環状凹溝の外周部とが互いに接触し、これによって空気連通口が形成されている小型ポンプを提供するものである。
【００１０】
【発明の実施の形態】
以下、本発明の一実施の形態を図１及び図２に従って詳述する。図１に於て２１は小型ポンプであり、該小型ポンプ２１は平面視長方形のケース２２内にポンプ室２３，２３を形成する２個のダイヤフラム２４，２４が備えられ、該ダイヤフラム２４，２４の下方には、該ダイヤフラム２４，２４の下面を上下動させる揺動体２５が配設されている。尚、前記ケース２２は上ケース２６と、中ケース２７と、下ケース２８の３段で構成され、前記ダイヤフラム２４，２４は該ダイヤフラム２４，２４の鍔部２４ａ，２４ａ…が前記上ケース２６と前記中ケース２７との間に挟着されて前記ケース２２に保持されている。
【００１１】
そして、前記揺動体２５の左右端部には、中央部に空気導入孔２９ａ，２９ａが開穿された軸体２９，２９が上方に突設して設けられ、一方、前記各ダイヤフラム２４，２４の下面中心部に突設して中空状取付体３０，３０が夫々配設され、該中空状取付体３０，３０に前記軸体２９，２９を蜜嵌して前記ダイヤフラム２４，２４が前記揺動体２５に取付けられる。
【００１２】
又、該各ダイヤフラム２４，２４の底部中心部は前記空気導入孔２９ａ，２９ａに対応する位置で一部切開されて、吸気弁部３１，３１が開閉自在に形成されている。尚、該吸気弁部３１，３１の形成方法は前述の切開方法に限定されるものではなく、他の方法で形成することも可能である。
【００１３】
更に、前記揺動体２５の中心部には該揺動体２５を偏心回転により揺動させる偏心回転軸３２が貫通して固着されている。そして、該回転軸３２の下端部は回転体３３に偏心して穿設された偏心穴３３ａに遊嵌され、該回転体３３はモータ（図示せず）の回転駆動軸３４の上端部に固着されている。又、前記偏心回転軸３２の上端部は前記中ケース２７の中央部に位置して穿設された凹部２７ａに遊嵌されている。
【００１４】
一方、図２に示す如く、前記上ケース２６の中央部に吐出孔３５が開穿されると共に、該上ケース２６下面に前記各ダイヤフラム２４，２４の上端部を挿入するための環状凹溝３６，３６が形成され、且つ、前記吐出孔３５の外周部と該環状凹溝３６，３６の外周部とが互いに接触し、これによって空気連通口３７，３７が形成されている。
【００１５】
そして、前記ダイヤフラム２４，２４の上端部が前記環状凹溝３６，３６の内壁部３６ａ，３６ａに圧挿されて排気弁部３８，３８が構成されている。
而して、前記回転駆動軸３４の回転により前記回転体３３が回転すると、前記偏心回転軸３２が偏心回転し、これによって前記揺動体２５が揺動し、前記ダイヤフラム２４，２４の下端部を上下動させる。そして、例えば、一方のダイヤフラム２４の下端部が下動された時、該ダイヤフラム２４内は負圧になり、前記排気弁部３８が前記環状凹溝３６の前記内壁面３６ａに密着して閉じ、且つ、前記吸気弁部３１は開放され、前記空気導入孔２９ａから前記ダイヤフラム２４内へ吸気が行われる。
【００１６】
次に、該ダイヤフラム２４の下端部が上動された時、該ダイヤフラム２４内は高圧になり、前記吸気弁部３１が前記空気導入孔２９ａを閉塞すると共に前記排気弁部３８が前記内壁面３６ａより拡径して排気が行われる。該排気弁部３８より排出された空気は前記環状凹溝３６及び前記空気連通口３７を通り、前記吐出孔３５から前記ケース２２外に吐出される。
【００１７】
斯くして、前記小型ポンプ２１は前記吐出孔３５の外周部と該環状凹溝３６，３６の外周部とが互いに接触し、これによって空気連通口３７，３７が形成されているので、従来例の排出溝（図４に於て１７）が不要となり、簡素な構成で作成工数を低減し、コストダウンを図ることができる。
【００１８】
尚、本発明は、本発明の精神を逸脱しない限り種々の改変を為すことができ、そして、本発明が該改変されたものに及ぶことは当然である。
【００１９】
【発明の効果】
本発明は上記一実施の形態に詳述したように、ダイヤフラムを用いた小型ポンプに於て、ケースの上ケース中央部に吐出孔を開穿すると共に、該上ケース下面に複数のダイヤフラムの上端部を夫々挿入するための複数の環状凹溝を形成し、且つ、前記吐出孔の外周部と該複数の環状凹溝の外周部とが互いに接触し、これによって空気連通口が形成されているから、従来例の排出溝を形成することなく、簡素な構成にして作成工数を低減し、コストダウンを図ることができる等、正に著大なる効果を奏する発明である。
【図面の簡単な説明】
【図１】本発明の一実施の形態を示し、小型ポンプの縦断面図。
【図２】本発明の一実施の形態を示し、小型ポンプの上ケースの底面図。
【図３】従来例を示し、小型ポンプの縦断面図。
【図４】従来例を示し、小型ポンプの上ケースの底面図。
【符号の説明】
２１          小型ポンプ
２２          ケース
２３          ポンプ室
２４          ダイヤフラム
２５          揺動体
２６          上ケース
３２          偏心回転軸
３５          吐出孔
３６          環状凹溝
３７          空気連通口
【図１】
0004670200.tif 000002
【図２】
0004670200.tif 000003
【図３】
0004670200.tif 000004
【図４】
0004670200.tif 000005